(57)【要約】【課題】より簡易に園芸を楽しむことができ、且つゴミの発生を無くし、更に流通段階では、従来と何等変わることなく取り扱うことができる袋体、及び培養土入り園芸容器を提供する。【解決手段】少なくとも底面を内側に折り込み、全体として平袋の形態をなし、且つ内側に折り込んだ底面を出現させることによって自立可能となる袋体であって、当該袋体の周面乃至縁部には、自立状態の袋体に沿って立設する支柱を設置する支柱設置部が設けられている袋体とする。【選択図】図１３
2004248515.tif 000002
【特許請求の範囲】
【請求項１】
少なくとも底面を内側に折り込み、全体として平袋の形態をなし、且つ内側に折り込んだ底面を出現させることによって自立可能となる袋体であって、
当該袋体の周面乃至縁部には、自立状態の袋体に沿って立設する支柱を設置する支柱設置部が設けられている袋体。
【請求項２】
前記支柱支持部は、袋体の立設方向に沿って延伸する袋体の縁部に形成されており、当該支柱支持部は、縁部の厚さ方向に貫通し、前記支柱を挿通可能な大きさに形成されている１又は２以上の孔部である請求項１記載の袋体。
【請求項３】
前記袋体の中に折り込まれる底面は、通気性及び通水性を有する部材が用いられている請求項１又は２記載の袋体。
【請求項４】
前記袋体の内側に折り込まれた底面は、常には展開する事のないように袋体の正面側と背面側とで接着されている請求項１〜３の何れか一項記載の袋体。
【請求項５】
請求項１〜４の何れか一項記載の袋体に、少なくとも培養土を収容してなり、
当該袋体の底面を出現させることにより立設可能となり、プランターとして使用し得る、培養土入り園芸容器。
【発明の詳細な説明】
【０００１】
【発明の属する技術分野】
本発明は、自立可能な袋体に関し、特に植物を植生するプランターとして使用することのできる袋体、及び培養土入り園芸容器に関する。
【０００２】
【従来技術】
近年、園芸植物の栽培を趣味とする人工が急増し、ガーデニングが脚光を浴びるように至っている。そして、特に都市部などに於いては、マンションなどの住居環境に起因して、この園芸はベランダなどのより小さいスペースで行われているのが実情である。この場合、園芸植物栽培に際しての土壌は、園芸用品店などから購入した土や培養土を、植木鉢やその他のプランターに充填することによって確保されている。
【０００３】
即ち、従来に於いては、園芸植物を栽培しようとする場合、栽培土壌となる土や培養土を購入し、これを入れる為のプランターを別途購入しなければならないものとなっている。このため園芸を始める為に準備するものが多く、簡易に園芸を行い得るものとはなっていなかった。また、土や培養土は、従来各種樹脂製袋に入れた状態て提供されているが、培養土等を取り出した後の袋は何等の用途もないことから廃棄せざるを得ず、このためゴミ処理に関しても面倒なものとなっていた。
【０００４】
一方で、この袋入りの培養土などは、様々な取引者を経て流通して、最終的に一般消費者に提供されており、この袋体に収容された培養土等の流通・保管は、運搬時の容易性などの観点から、複数の袋体を平積みした状態で行われている。このため従前に於いて培養土等を収容する袋体には、平積みしやすいように平袋が使用されているのが実情である。また、このような平袋は製造が容易であることから低コストであり、また材質にも依るが一般には十分な強度を有し、培養土の搬送や搬送に際しての保管には最適なものとなっている。この平袋としては、恰も二枚のシート体を貼り合わせた如き形状を有しており、四方を接着したものや、筒状に形成すると共に上下端部を閉塞したものが提供されている。
【０００５】
即ち、土や培養土などの取引では、取引者側に於ける保管方法（平積み）が既に確立していることから、この形態（平袋）を大幅に変更することはできないものとなっている。何故ならば、仮に変更したとすると、内容物（土や培養土）の袋詰めの仕方や、保管方法の変化をもたらし、更に袋詰めを行うための装置や保管するための施設の変更なども伴う虞がある為である。
【０００６】
【発明が解決しようとする課題】
依って本発明は上記課題を解決し、より簡易に園芸を楽しむことができ、且つゴミの発生を無くし、更に流通段階では、従来と何等変わることなく取り扱うことができる袋体、及び培養土入り園芸容器を提供するものである。
【０００７】
【課題を解決するための手段】
本発明は、内側に折り込まれた底面を出現させることにより自立可能となる袋体とし、これに土や培養土等を入れて提供することで、プランター等を不要として、更にゴミの発生を無くすものである。しかも、この袋体は、常には（即ち、流通・保管状態では）平袋の形態を成すことから、従前の方法及び装置により、流通・保管することができる。
【０００８】
即ち、本発明に係る袋体は、少なくとも底面を内側に折り込み、全体として平袋の形態をなし、且つ内側に折り込んだ底面を出現させることによって自立可能となる袋体であって、当該袋体の周面乃至縁部には、自立状態の袋体に沿って立設する支柱を設置する支柱設置部が設けられている。
【０００９】
上記袋体は、支柱設置部が形成されていることから、立設状態における袋体を支持するべく支柱を設けることができる。この支柱設置部は、袋体の立設方向に沿って延伸する袋体の縁部に形成することができ、また縁部の厚さ方向に貫通し、前記支柱を挿通可能な大きさに形成されている１又は２以上の孔部として形成することができる。このように形成することにより、支柱設置部を簡易に製造することができる。その他にもこの支柱設置部は、袋体の立設方向に沿って延伸する袋体の縁部を中空状に形成することもできる。この場合、支柱はこの中空に形成された部分を貫通して立設し、袋体を支持することができる。更にこれら支柱設置部は、袋体の縁部の他にも、立設した袋体の正面乃至背面に存在する部分に、上下方向に伸びる貼り合わせ部分を設け、この貼り合わせた部分に形成することも可能である。この貼り合わせ部分は、袋体の一部を貼り合わせて形成する他、袋体とは異なる部材（例えば、フィルムや筒状部材）を用いて、これを袋体に一体化して形成することもできる。更にこの支柱設置部は、袋体の立設方向に沿って延伸する袋体の縁部、または立設した袋体の正面乃至背面に存在する部分に、上下方向に伸びる貼り合わせ部分そのものとして具体化することができる。この場合、当該支柱設置部に設置される支柱は、当該縁部または貼り合わせ部分を挟持するクリップ状部分を備えた棒状のもの等が使用される。
【００１０】
上記支柱設置部に設けられる支柱は、予め袋体に組み合わせておくことができる他、別途用意することもできる。即ち、本発明に係る袋体に於いて、支柱は任意に袋体と一体化し得る付随的乃至選択的な構成要件である。
【００１１】
本発明の袋体に於いて、その中に折り込まれる底面は、通気性及び通水性を有する部材を用いて形成されることが望ましい。即ち、多孔性フィルムや不織布などを用いて底面が形成されることが望ましい。その際、袋体の周面を形成する部分は、底面と同じように通気性及び通水性を有する部材を用いて形成することもできるが、望ましくは従来の例により合成樹脂フィルムなどにより形成する。何故ならば、本発明に係る袋体を後述のプランターとして使用する場合、立設状態における側面からは、栽培に際して供与した水がそれ程漏れ出ないことが望ましい為である。但し、この側面には、袋体の内容物である培養土やその他の土の乾燥を防ぐことができ、且つ栽培に際して供与した水の漏洩が許容できる程度の微細な開口（即ち貫通孔）を設けることが望ましい。これは特に培養土を収容する場合等には、微生物の活性化を保つための通気口が存在することが望ましい為である。依ってこのように形成された本発明の袋体は、袋体の周面と底面とが別部材で形成された袋体、更に、少なくとも底面が通気性及び通水性を有する部材で形成された袋体として捉えることもできる。なお、底面が通気性や通水性を有しなか、或いは十分でない部材を用いて形成されている場合、後述のように立設状態としてプランターの様に使用する際には、袋体の底面または底面寄りに、排水のための小孔を形成することが望ましい。
【００１２】
また本発明に係る袋体では、流通・保管に際して、常に平袋の形態を保つように、袋体の内側に折り込まれた底面が常には展開する事のないように、袋体の正面側と背面側とで接着されていることが望ましい。このように底面を内側に折り込んで、常には底面が露出しない袋体は、以下のようにして形成することができる。
【００１３】
即ち、底面を備えた袋体であって、該底面は袋体の内側に折り込まれ、且つ常には展開する事のないように接着されて、全体として平袋の形態をなし、当該接着部分を剥離することにより底面が出現して自立可能となる袋体とすることができる。
【００１４】
また、１又は複数のシート体を用いて形成された袋体であって、その底面は袋体の内側に折り込まれ、且つ、該袋体底面の周縁は、正面側と背面側とで閉塞している袋体とすることができる。この場合、袋体底面の正面側と背面側とでの閉塞は、袋体の底面周縁の当該両側を分離可能なものとして接着することによって行うことができる。この様に形成された袋体は、底面周縁の正面側と背面側とを分離することによって、袋体の内側に折り込まれた底面が展開し、これにより袋体の底面が出現することとなる。
【００１５】
上記のように形成された袋体は、袋体の底面を袋体内に折り込むことにより平袋となり、これによって、流通段階に於ける保管が容易となる。そして消費者側において、その袋体をプランターとして使用する場合には、底面周縁の正面側と背面側とを分離させて底面を展開・出現させれば、この底面によって自立可能となる袋体（即ちプランター）が実現する。
【００１６】
底面周縁の正面側と背面側との接着は、両者の分離を可能とする接着剤、即ち、両者を接着した後に於いても、任意に当該接着状態を解除できる程度の接着強度を有する接着剤により行うことができる。また底面の周縁と前記袋体周面の裾部とを底面の周方向に沿って環状に接着し、この環状に接着された部分を、袋体の正面側と背面側とで分離可能なように接着することによっても行うことができる。さらに、この環状に接着された部分の裾部だけを袋体の正面側と背面側とで接着し、この接着部分を切除することにより、袋体底面を展開可能とすることもできる。この場合、切除する部分には、予め、脆弱な切取線を設けることが望ましい。
【００１７】
更に本発明に係る袋体では、底面と対向して存在する上部（即ち、立設状態において植物を植え込む側）が開閉自在に形成されていることが望ましい。これにより植物を植えた後、根付くまでの間は、この上部を閉じておけば、温室同様の効果を得ることができる。このように袋体上部を開閉自在とする構造としては、該袋体の上部内面に開閉自在のファスナーを設けるか、或いは開口した袋口を閉じるための紐体を設けるなど、各種袋体に於いて袋口を閉じるために使用されている公知の構造を採用することができる。
【００１８】
また、上記のように底面を内側に折り込んでなる本発明の袋体では、その製造上の観点からも上部にはファスナーを設けることが望ましい。
【００１９】
即ち、従来、培養土等を収容する平袋は、複数の袋体を帯状に繋げ、これをロール状に捲いたものとしても提供されている。このようにロール状に捲いた場合、仮に巻取り方向の左右両側の厚さが異なるとすると、厚い側の内径が大きくなってしまい、結果として巻き取ったものが円錐台などの形状となってしまう虞もある。従って、袋体をロール状に巻き取る為には、巻取り方向の左右両側の厚さを等しくすることが望ましい。
【００２０】
本発明では、底面側を袋体内に折り畳むことから底面側が厚くなるが、他端側（即ち上部）にファスナーを設けることにより、巻取り方向（即ち、袋体の側縁と直交する向き）の左右両側の厚さを均等に保つことができ、その結果、ロール状に捲くことに関しても何等支障を来すことはない。これにより、従前と何等変わらない方法により、本発明の袋体を使用することができる。
【００２１】
従って、上記の如く立脚するための底面を袋体内に折り畳んでなる袋体では、上部には開閉自在のファスナーを設けることが望ましく、これにより複数繋がった袋体をロール状に巻き取ることができる。
【００２２】
上記のように繋がった袋体をロール状に巻き取る場合、底面側とファスナー側とは、巻取り方向の左右両側に存在し、複数繋がった袋体はファスナーの延伸方向に巻き取られる事になる。従って相互に繋がる袋体同士は、各袋体の側縁で繋がることになる。この場合、ロール状とされたものから切り出される袋体は、その何れか一方の側縁に開口を設け、当該開口から収容物（培養土や土など）を充填することが望ましい。袋体の側縁に開口を設ければ、前記ファスナーの開閉を確実なものとすることができる。即ち、側縁に開口を設けておけば、予めファスナーの継合状態を維持したままで収容物の充填を行うことができる。この開口は、例えばシート体同士を溶着（または接着）しないことにより形成することができる。また、袋体の底面が袋体内に折り込まれて、常には展開することがない様に接着されている場合には、収容物の充填時に於いても底面が展開することはなく、従前の平袋と同じようにして充填操作を行うことができる為、作業上望ましいものとなる。依って、袋体底面を接着する等により常には展開しないものとした袋体は、充填時に底面が展開することにより変形してしまうおそれをなくし、袋体を保持する手段等、新たな設備を必要としない点で望ましいものとなる。
【００２３】
そして上記本発明に係る袋体に、少なくとも培養土を収容することにより、この袋体をプランターとして使用して植物を栽培することのできる、培養土入り園芸容器が実現する。
【００２４】
即ち、上記本発明に係る袋体に、少なくとも培養土を収容してなり、当該袋体の底面を出現させることにより立設可能となり、プランターとして使用し得る、培養土入り園芸容器である。
【００２５】
かかる培養土入り園芸容器では、培養土を収容し、流通などの為に使用される袋体をそのままプランターとして使用することから、別途、培養土等を入れるための植木鉢などを準備する必要はなくなり、更に培養土を収容している袋体を廃棄する手間も省かれることになる。これにより、より簡易、且つ気楽に園芸植物の栽培を楽しむことのできる、培養土入り園芸容器が実現する。
【００２６】
【発明の実施の形態】
以下、図面に示す実施の形態に基づき、本発明を説明する。
【００２７】
図１は本発明の一の実施形態に於ける袋体を示す正面図である。この図に示す袋体１は、長尺状に形成されたシート体の底部側に、「Ｖ」字状に折り曲げた不織布をに袋体１内に挟み込み、この不織布とシート体の底部側とを熱圧着することで、両者を接合している。この時、袋体内に折り曲げられた不織布が、展開時において底面２となる（図１中、不織布が存在する部分を右下がりの斜線で示す）。特に不織布がポリエチレン層を有する場合には、熱圧着に際してこのポリエチレン層がシート体（即ち、袋体の周面を形成するフィルム）の底部側と融着し、その余熱で溶融した不織布のポリエチレンが、当該折り曲げた不織布の内側表面に浸み出て、（折り畳まれて）向かい合った不織布同士を軽度に接着することになる。熱圧着は、袋体の側縁３や上部４等を貼り合わせるのと同じようにして行うことができる。これにより、不織布で形成された袋体の底面２は、図２ａの袋体底部の断面図に示すように袋体内に折り込まれることになる。当然、この不織布は通気性、通水性に優れており、これに代わり多孔性シート体を用いることもできる。図１中、符号１５は、この袋体を持つための取手を示す。この取手１５により、当該袋体１の運搬や保持が容易となる。また符号９は開閉自在のファスナーを示す。
【００２８】
なお、シート体（周面）と不織布（底面）、及び折り畳まれた不織布同士は、熱圧着に限らず、任意の接着剤などによって接合することもできる。
【００２９】
袋体の下縁１４の内側の面は、袋体内に折り込まれた底面２（不織布）の袋体内に露出する面と接合されている。そして、この底面２（不織布）を展開した時に袋体の外側に存在する面同士も、任意に分離可能なものとして接合されている。これらの接合は、袋体内に内容物（培養土やその他の土等）を収容した場合であっても、簡単に底面が展開しないように接合の強度や面積などが調整されていることが望ましい。
【００３０】
なお、袋体内に折り込まれた底面２の裾部５同士は、袋体の正面側と背面側とを接着剤６等で貼り合わせることもできる（図２参照）。
【００３１】
これにより、本発明に係る袋体１は、平袋と同一の形態を具備することができ（図３）、流通段階に於いては、内容物を収容した複数の袋体を平積みすることができる。依って、保管施設や袋詰め機械などの変更を伴うことなく、従来同様の流通・保管方法に於いても好適に使用することができる。なお、本発明に於ける貼り合わせは、接着剤や糊を用いて行う他、シート体を溶着する、或いはファスナー状のものを使用する等によっても行うことができる。
【００３２】
そして、底面２に於ける袋体正面７側と背面８側との接合（接着剤６）を意図的に剥がすと、図２ｂに示すように袋体の底面が展開・露出する。袋体内に折り込まれた底面２を袋体正面７側と背面８側とで接着する場合、その全体に亘って行う他、底面の裾部５を含んで、適宜接着することができる。
【００３３】
また、この袋体の底面周縁に於いて、正面側と背面側とを閉塞するに際しては、図１０に示すように、不織布の端部同士を接着剤６等で貼り合わせると共に、袋体の下縁１４同士を溶着することもできる。
【００３４】
なお、袋体１内に折り込まれた底面２を展開する方法としては、底面を閉じる接着部分１２の貼り合わせ箇所を切除することによっても行うことができる。この場合、貼り合わせ箇所を切除した後に於いても、袋体１の底面側に於ける閉塞状態は確実に維持できるように形成する必要がある。このように形成した袋体では、接着部分１２の貼り合わせ箇所を切除すれば袋体底面を展開することができることから、接着部分１２同士の貼り合わせの強度を調整する必要はなくなる。
【００３５】
また、この実施の形態に示す袋体１の上部４は、開閉自在に形成されている。特にこの実施の形態に示す袋体１では、袋体の内周面に周方向に沿って設けられた一条の樹脂レールを、これと対向する内周面に設けられた２本の樹脂レールで挟持することにより袋口を閉塞し得るもの（所謂ファスナー９）が設けられている。これにより、プランターとして使用する際、一旦、植え付けなどの為に袋体の上部を開口した場合であっても、温室効果を企図する場合には、再度開口させた上部を閉塞することができる。
【００３６】
なお、上記袋体の周面（即ち、正面７及び背面８）を形成するシート体には、特に、培養土中の微生物の活性化を阻止することのないように、袋体内外に於ける換気を可能にする為の複数の貫通孔を設ける事が望ましい。
【００３７】
本実施の形態に示す袋体１に於いて、図２ｂに示すように底面を正面及び背面側に展開することにより、図４に示すような自立可能な袋体となる。
【００３８】
袋体１内に折り込まれた底面２は、展開した際に袋体の自立を可能とし得る形状に形成される。例えば、本実施の形態に示す袋体１では、その底面２は、袋体１の正面７下方及び袋体の背面８下方と、それぞれ袋体側縁３から下方中央方向に向かって窄む様に傾斜させて貼り合わせており、その結果、展開した際には、図４に示すような平坦部分を有する底面２が出現する。袋体１内に折り込まれる底面２は、これを展開して自立性袋体とした場合の安定性を考慮し、できるだけ幅広くすることが望ましい。
【００３９】
この底面２の形状に関しては、更に図５〜７に示すような態様とすることができる。
【００４０】
即ち、この図５に示す袋体１’は、不織布を「Ｖ」字状に袋体内に折り畳んで底面２’とし、更にこの底面２’と正面７’及び底面２’と背面（８’）とをそれぞれ弧状に溶着して形成されている。但し、底面２’と、正面７’及び背面（８’）とは、直線状の他、各種形状に溶着することができる。そして、図７に示すように、底面２’と正面７’を接着した部分（底面２’の正面側１０）と、底面２’と背面８’の接着部分（底面２’の背面側１１）とを、その裾部６’で帯状に貼り合わせることにより平袋とすることができる。この場合、袋体１’内に折り込まれた底面２’は、この帯状に貼り合わせた部分（６’）を意図的に剥がさない限り露出することは無い為、使用者の意志に応じて任意に平袋の態様を保つことができる。
【００４１】
そして、袋体１’内に折り込んだ底面２’は、この帯状に貼り合わせた部分（６’）を剥がすことにより露出・展開し、図６に示すような湾曲した流線形となる。
【００４２】
この袋体１’も、底面２’を袋体１’内に折り込み、且つその裾部６’を溶着や接着或いはファスナー状のシールによって閉じることにより（図７）、恰も従前の平袋と同様の形態となる。従って、流通・保管に際しては平袋の形態でありながら、一般消費者の使用に際しては、自立可能な袋体１’となる。この袋体１’を使用することにより、流通・保管手段の変更を伴うことなく、且つ一般消費者に於いては、そのままプランターとして使用することができるようになる。
【００４３】
なお、この図５〜７に示す袋体１’の様に、袋体内に折り込まれた底面２’と、正面７’及び背面８’とをそれぞれ弧状に溶着し、更にこの接着部分１２’を、袋体の正面７’側と背面８’側とで貼り合わせた袋体では、この接着部分１２’を長めに形成しておき、且つ接着部分同士１２’−１２’の貼り合わせ部分を切除することで底面２’を露出させることもできる。図８は、この貼り合わせ部分を切除する態様の袋体を示し、貼り合わせ部分の近傍に示される鎖線は切取線１３を示す。
【００４４】
また、図５〜８中、符号４’は袋口となる袋体の上部、符号９’は袋口の開閉を可能にするファスナーを示す。
【００４５】
更に、本発明に於ける袋体では、その底面２”の形状は、図９に示すように菱形とすることもできる。即ち、本発明の袋体の底面は、流通段階に於いて袋体内に折り込むことができ、且つ必要に応じて展開し、袋体の自立を果たすものであれば適宜採用することができる。
【００４６】
次に、本発明の袋体が備える支柱設置部を図面に基づき説明する。
【００４７】
即ち、図１に示した袋体では、袋体の縁部、詳細には立設状態において鉛直方向に向かう左右の縁部には、厚さ方向に貫通する２つの孔部３０が設けられており、底面を展開して自立状体とした際には、この孔部を縫うようにして棒状の支柱３１が設けられる。これにより簡易な構造でありながらも、立設状体の袋体の変形を確実に阻止することができる。
【００４８】
また図４に示した袋体では、袋体の周面に、別体として形成した支柱設置部を一体化している。特にこの図に於いては、支柱設置部はチューブ状部材３０として形成されており、自立状体の袋体を支持する支柱は、このチューブ状部材３０内を貫通する様に設けられる。このように別体として支柱設置部を設ける場合には、図１などに示すような縁部が存在するか否かを問題とすることなく当該支柱部を設けることができる。
【００４９】
更に図９に示す袋体では、袋体の製造に際して左右に生じた縁部をそのまま支柱設置部として使用している。特にこの場合、支柱は単なる棒状であってはならず、この縁部と一体化する構造を伴う必要がある。この図に示す態様では、支柱は長さ方向に伸びる楔形の溝を備え、この溝内に袋体の縁部（即ち支柱設置部）を挟持するものとして示されている。なお、支柱と縁部との接合を別部材、例えばクリップなどによって行っても、略同様の効果を得ることができる。
【００５０】
そして図１１に示す袋体では、袋体の左右両側に生じる縁部を中空状に形成し、これを支柱設置部としている。この場合、支柱１７は中空状に形成された縁部内に挿通され、立設状態の袋体を支持することができる。
【００５１】
なお、本発明に係る袋体は、シート体同士の溶着部分（又は接着部分）には適宜小物を収容可能な小物収容部としてポケット１６を設けることもできる。例えば、図１１に示すように袋体の底面を形成する際に四角に出現する余分な部分にポケット１６を形成することができる。このポケット１６は、例えば種子や球根などの他、肥料、その他の景品などを入れるのに使用することができる。
【００５２】
上記本実施の形態に示す袋体は、例えば図１２に示す手順により、その内側に収容されるもの（収容物）を充填することができる。
【００５３】
即ち、図１２（ａ）に示す如く、複数の袋体の側縁同士を繋げたものをロール状に捲いた半加工品２０を準備する。この半加工品２０は、少なくとも不織布を用いて形成された底面２１を折り畳んだ部分と、その反対側に存在する上部（即ちファスナー２２が形成される側）で貼り合わされており、袋体とした時に側縁となる部分は閉じられることなく開放したままで形成されている。この態様に示した袋体では、底面が形成された側と反対側（即ち上部）にファスナー２２が形成されていることから、ロール状の半加工品２０とする際、巻取り方向の左右両側の厚さが同じになり、その結果、より確実に当該半加工品２０を円柱状に巻き取ることができる。
【００５４】
そして、袋体２４に、培養土その他の土などの収容物２３を充填する際、または充填した後に、袋体２４はこのロール状の半加工品２０から切断され、且つ開口２５が閉塞される。開口２５が形成されない側縁は、少なくとも収容物２３を充填する前に閉塞される必要があり、半加工品２０を形成する際に、上部などと共に予め閉じておいても良く、或いはロール状の半加工品２０から袋体２４を切り出す際に閉じても良い。図１２において、鎖線は切断部分を示している。
【００５５】
特に図１２（ｂ）では、ロール状の半加工品２０から袋体２４を切断する際に、開口２５が形成されない側縁が閉じられ、切断された袋体２４には収容物２３が充填されることになる。特に本発明に係る袋体２４では、底面２１となる部分が袋体の内側に折り込まれ、且つこの底面２１は意図せず露出することはないことから、収容物の充填に際して、この底面が露出してしまうことはない。従って従来頻繁に使用されている通常の平袋と同様にして収容物を充填することができる。
【００５６】
収容物が充填された後には、図１２（ｃ）に示すように、通常の平袋と同じように開口は溶着又は接着などにより閉じられることとなる。
【００５７】
上記実施の形態に示した袋体は、底面が常には接合されて展開することはないことから、流通・保管状態においては平袋の形態を成し、これを使用する際には、底面を展開させることで自立可能な袋体とし、これをそのまま園芸植物栽培用のプランターとして使用することができる。この培養土入り園芸容器を図１３（ａ）に、そしてその底面を展開してプランターとした使用状態を図１３（ｂ）に示す。なおこのようにプランターとして使用する際には、袋体の周面には適宜意匠的な装飾を付することもできる。
【００５８】
【発明の効果】
本発明の袋体は、流通や保管に際しては平袋の態様とすることができることから、従来の流通過程と同様に平積みした状態で保管・運搬を行うことができる。そして一般消費者がこの袋体に収容された培養土その他の土を購入した場合には、底面を露出させることで自立性の袋体となり、これによりプランターとして使用することのできる培養土入り園芸容器となる。
【００５９】
更に、袋体の上部、即ち袋口を開閉自在とすることにより、恰もビニールハウスの如き温室状体を形成することもできる。
【００６０】
特に、この袋体の周面が内外の換気を可能とする通気構造を備える場合には、内容物である培養土の活性を減衰させることがなく、また使用時に於いて露出する袋体の底面に、不織布などの通気性、通水性を有する部材を使用することで、植物の栽培に最適な環境を形成することができ、また培養土の漏出をなくすこともできる、
【図面の簡単な説明】
【図１】一の実施態様の袋体を示す正面図
【図２】図１に示す袋体の要部断面図であり、（ａ）と（ｂ）とは底面の展開の前後をそれぞれ示す。
【図３】図１に示す袋体を平袋とした斜視図
【図４】図１に示す袋体に於いて底面を展開した状態を示す要部斜視図
【図５】他の実施態様の袋体を示す正面図
【図６】図５に示す袋体に於いて底面を展開した状態を示す要部斜視図
【図７】図５に示す袋体の要部断面斜視図
【図８】図５に示す袋体で他の実施態様の袋体を示す正面図
【図９】更に他の実施態様の袋体を示す斜視図
【図１０】更に他の実施態様の袋体を示す斜視図
【図１１】更に他の実施態様の袋体を示す斜視図
【図１２】袋体内への収容物の充填手順を示す略図。
【図１３】培養土入り園芸容器の使用状態を示す略図。
【符号の説明】
１          袋体
２          （袋体の）底面
７          （袋体の）正面
８          （袋体の）背面
９          ファスナー
１２        接着部分
３０        支柱設置部（孔部，チューブ状部材，縁部）
３１        支柱
【図１】
2004248515.tif 000003
【図２】
2004248515.tif 000004
【図３】
2004248515.tif 000005
【図４】
2004248515.tif 000006
【図５】
2004248515.tif 000007
【図６】
2004248515.tif 000008
【図７】
2004248515.tif 000009
【図８】
2004248515.tif 000010
【図９】
2004248515.tif 000011
【図１０】
2004248515.tif 000012
【図１１】
2004248515.tif 000013
【図１２】
2004248515.tif 000014
【図１３】
2004248515.tif 000015